(57)【要約】      （修正有）【課題】一定期間、苗の生長を停止させるか、少なくとも非常に緩慢にさせて、苗を貯蔵することができ、しかも貯蔵後に、健全な状態の苗を得ることができる、貯蔵工程を有する苗の生産方法を提供する。【解決手段】挿し木法、接ぎ木法、組織培養法等の方法により発根苗を得る発根工程、得られた発根苗を、矮化剤を添加した水又は液体培地を用いて培養することにより、通常の温度及び光条件下で貯蔵する貯蔵工程、貯蔵後の苗を、矮化剤を添加していない水又は液体培地を用いて栽培する育苗工程を、この順に行う。矮化剤としては、アンシミドールやウニコナゾールを始め、公知の矮化剤を用いることができる。また、貯蔵期間は２週間以上、１０週間以内が好ましい。【選択図】なし【特許請求の範囲】
【請求項１】
発根工程、貯蔵工程及び育苗工程を経て行う苗の生産方法であって、貯蔵工程が、発根後の苗を、矮化剤を添加した水又は液体培地を用いて培養することにより行われ、また、育苗工程が、前記貯蔵工程により貯蔵した後の苗を、矮化剤を添加していない水又は液体培地を用いて栽培することにより行われることを特徴とする、苗の生産方法。
【請求項２】
矮化剤がピリミジン系矮化剤又はトリアゾール系矮化剤であることを特徴とする、請求項１に記載の苗の生産方法。
【請求項３】
前記貯蔵工程の期間が２週間以上、１０週間以内であることを特徴とする、請求項１又は２に記載の苗の生産方法。
【請求項４】
木本植物の苗を生産することを特徴とする、請求項１、２又は３に記載の苗の生産方法。
【請求項５】
ユーカリ属植物の苗を生産することを特徴とする、請求項１、２、３又は４に記載の苗の生産方法。
【発明の詳細な説明】
【技術分野】
【０００１】
本発明は、農業、林業等に実用できる植物の苗の大量生産方法に関する。
【背景技術】
【０００２】
栽培植物の多くは、季節によって需要に差があり、また、その苗は、１年のうちある特定の時期に植付け時期が限定される。このため、これらの苗を大量生産する場合には、需要とその適した植付け時期とを睨み、ある特定の時期に合わせて、植付けに必要な全量を一度に、しかも生長ステージを揃えて生産し、出荷しなければならない。従って、短い期間だけ、大量の人員を投入し、設備をフル稼働させて苗を生産することが要求されるため、農繁期と農閑期とで、人員の必要量及び設備の稼動量に大きな差が生じ、年間を通して人員や設備を効率的に活用することができず、生産コストを押し上げる。また、農繁期に、人員の欠員や、設備の不具合・故障が急に生じると、生産計画が大幅に狂うおそれもある。これらの問題は特に、高価な設備を用いて多くのステップを経て行われる、組織培養により苗を大量生産する場合に深刻であった。
【０００３】
そこで、苗の生産過程において、一定期間、苗の生長を停止させるか、少なくとも非常に緩慢にさせて苗を貯蔵でき、しかも貯蔵後に、健全な状態の苗を得ることのできる貯蔵技術が必要とされる。このように苗を貯蔵できれば、たとえ苗の出荷時期が特定の時期に集中しても、苗の生産自体は、特定の時期に集中させずに、比較的一定のペースで行うことができ、年間を通して人員や設備を効率的に活用できることとなる。
【０００４】
一方、矮化剤とは、植物体の伸長生長を抑制する作用を有する化合物、即ち矮化作用を有する化合物の総称であり、アンシミドール、ウニコナゾール、イナベンフィド、バクロブトラゾール、ダミノジッド、塩化クロルコリン等が知られている。しかし、従来、これらは、観賞用の鉢花を小さく仕立てるための草丈調整（特許文献１）や、田植えを行った後のイネの倒伏防止のための徒長防止（特許文献２）に使用され、苗の貯蔵、即ち、その後の苗の成長を妨げることなく、一定期間、苗の生長を停止させたり、非常に緩慢にさせる目的で使用されることはなかった。
【０００５】
【特許文献１】特開平６−３０６６８
【特許文献２】特開平７−２２２５３１
【発明の開示】
【発明が解決しようとする課題】
【０００６】
本発明は、以上の状況を背景としてなされたものであり、苗生産を、特定の時期に集中させずに、比較的一定のペースで行うことができ、年間を通して人員や設備を効率的に活用できる苗の生産方法の提供を目的とする。特に、本発明は、一定期間、その生長を停止させるか、少なくとも非常に緩慢にさせて苗を貯蔵することができ、しかも貯蔵後に、健全な状態の苗を得ることができる、貯蔵工程を有する苗の生産方法の提供を目的とする。
【課題を解決するための手段】
【０００７】
本発明者らは鋭意研究の結果、発根後の苗を、矮化剤添加培地で培養後、矮化剤非添加培地で栽培することにより、上記目的が達成されることを見出し、本発明を完成させた。
【０００８】
即ち、本発明は、発根工程、貯蔵工程及び育苗工程を経て行う苗の生産方法であって、貯蔵工程が、発根後の苗を、矮化剤を添加した水又は液体培地を用いて培養することにより行われ、また、育苗工程が、前記貯蔵工程により貯蔵した後の苗を、矮化剤を添加していない水又は液体培地を用いて栽培することにより行われることを特徴とする、苗の生産方法に関する。
【発明の効果】
【０００９】
本発明の貯蔵工程は、一定期間、苗の生長を停止又は非常に緩慢にさせて、しかも、その貯蔵後は健全な状態の苗を得ることができる。従って、本発明によれば、一定期間、苗の生長を停止させるか、少なくとも非常に緩慢にさせて、しかも貯蔵後に、健全な状態の苗を得ることができる、貯蔵工程を有する苗の生産方法が提供される。
【００１０】
このため、本発明によれば、苗生産を、特定の時期に集中させずに、比較的一定のペースで行うことができ、年間を通して人員や設備を効率的に活用できる苗の生産方法が提供される。従って、本発明によれば、苗の大量生産に要するコストを低減させることができる。
【００１１】
また、本発明によれば、人員の欠員や、設備の不具合・故障等によるスケジュールの急な変更にも、柔軟に対応できる苗の生産方法が提供される。
【００１２】
さらに、本発明によれば、上記貯蔵工程での貯蔵期間中に、苗の地上部（茎や葉等）の生長を停止又は非常に緩慢にさせながらも、地下部（根系）の生長を持続させることができるので、貯蔵を行わなかった苗と比べて、根系の発達した、むしろ良好な苗を得ることもできる。
【発明を実施するための最良の形態】
【００１３】
本発明を適用できる植物の種類に特に制限はない。ユーカリ、マツ、アカシア、クヌギ、ブドウ、ヤマモモ、バラ、サクラ、リンゴ、ウメ、ユスラウメ、ナシ、ツバキ、チャ、柑橘類等の木本植物の他、草本植物にも本発明を適用することができる。
【００１４】
また、本発明において発根工程は、挿し木法、接ぎ木法、組織培養法等の公知の方法により行うことができる。
【００１５】
たとえば、組織培養法による場合には、組織培養により得られた苗条原基、不定芽、多芽体等からシュートを採取し、これらのシュートを、ムラシゲスクーグ（ＭＳ）培地やガンボーグＢ５培地等の公知の植物組織培養用培地又はこれらの培地を適当に希釈したものに、植物ホルモンとしてインドール酢酸、インドール酪酸、ナフタレン酢酸及び／又はジクロロ酢酸等のオーキシン類を添加した発根培地を用いて、適当な光及び温度条件下で培養すれば、発根させることができる。このとき培地は、固体培地でも液体培地でも用いることができる。固体培地を用いる場合にはそのまま、液体培地を用いる場合には、発泡フェノール樹脂、ロックウール等からなる多孔性成形品を発根床とし、この発根床を上記液体培地で湿潤させたものに、採取したシュートの基部を挿し付ければよい。なお、通常、上記培地中には、ショ糖等の炭水化物も炭素源として添加するが、これらの炭素源の代わりに、炭酸ガスを培養環境中に供給して光独立栄養培養を行えば、多くの場合、シュートからの発根がより促進される。また、挿し木法や接ぎ木法による場合でも、従来から行なわれている伝統的な方法に加え、たとえば挿し木法では、挿し穂について光独立栄養培養を適用した、特開２００１−１８６８１４記載の方法等も用いることができる。
【００１６】
本発明の貯蔵工程は、上記発根工程にて得られた発根後の苗を、矮化剤を添加した水又は液体培地を用いて培養することにより行う。
【００１７】
すなわち、この貯蔵工程において、発根工程にて得られた発根後の苗は、適当な培養容器内に用意した、例えば、砂、赤玉土等の自然土壌、バーミキュライト、パーライト、ガラスビーズ等の人工土壌、又は発泡フェノール樹脂、ロックウール等の多孔性成形品その他の支持体に移植等して、矮化剤を添加した水又は液体培地を与えて培養することにより貯蔵する。この場合において、予め支持体を、矮化剤を添加した水又は液体培地で十分に湿潤させておけば、発根苗の移植後に上記液体培地等を与える手間を省くことができる。また、発根工程においても、発根床として上記したような支持体を用いている場合には、単に培地を、発根工程にて用いた培地から、この貯蔵工程において用いる矮化剤を添加した水又は液体培地に交換するだけで、苗を移植したり、培養容器を換えたりすることなく、発根工程から貯蔵工程へと移行することができる。
【００１８】
苗の大きさは、作業性の観点から、貯蔵工程直前において地上部丈が２ｃｍ以上、１０ｃｍ以下であることが望ましい。また、培養容器は、光の透過と通気を妨げない限り、特に素材、形状、大きさを問わず使用でき、例えば、市販の透明プラスチック製植物培養容器を使用することもできる。
【００１９】
矮化剤としては、先に例示したアンシミドール、ウニコナゾール、イナベンフィド、バクロブトラゾール、ダミノジッド、塩化クロルコリンを始め、植物体の伸長生長を抑制する作用を有する化合物であれば、本発明の目的に反しない限り、どのようなものでも単独で、又は２種類以上組合わせて使用することができる。
【００２０】
上記矮化剤の水又は液体培地への添加量は、本発明において目的とする効果、即ち、貯蔵中の苗の生長を停止又は非常に緩慢にさせるという矮化剤添加の効果が発揮され、かつ、貯蔵中の苗が、上記効果以外の障害を受けるおそれのない濃度範囲で、適宜決定すればよい。また、これらの添加量を最適化することで、苗の貯蔵中に、その地上部（茎や葉等）の生長を停止又は非常に緩慢にさせながらも、地下部（根系）の生長を持続させ、根系の発達した良好な苗とすることもできる。たとえば、ジベレリンの生合成に対して阻害作用を有する、アンシミドール等のピリミジン系矮化剤やウニコナゾール等のトリアゾール系矮化剤を単独で用いる場合には、水又は液体培地中の濃度がそれぞれ、０．０５μＭ以上、５μＭ以下の範囲となるように添加することが好ましく、特に０．１μＭ以上、２μＭ以下が好ましい。これらの濃度がそれぞれ０．０５μＭ以上、５μＭ以下の範囲にあれば、矮化剤添加の効果が発揮され、かつ、貯蔵中の苗が障害を受けるおそれもない。また、０．１μＭ以上、２μＭ以下の範囲にあれば、その地上部（茎や葉等）の生長を停止又は非常に緩慢にさせながらも、地下部（根系）の生長を持続させ、根系の発達した良好な苗とすることができる。
【００２１】
これらの矮化剤を添加する液体培地としては、ＭＳ培地やガンボーグＢ５培地を始めとする公知の植物組織培養用培地もしくはその改変培地、又は市販の植物用肥料を、１〜１０倍程度まで希釈して用いることができる。しかし、本発明の貯蔵工程においては、かかる液体培地の代わりに単なる水を用いても構わない。
【００２２】
なお、矮化剤を添加する水又は液体培地には、植物ホルモン等、矮化剤以外の成分を添加することもできる。ただし、このような他の成分の添加は、本発明の目的を損ねない範囲としなければならない。例えば、植物細胞の増殖・伸長促進作用を有する植物ホルモンは、本発明において用いる矮化剤の働きとは、本質的に相反する働きを有するので、その添加量は一定量以下（オーキシンであれば、２．０ｍｇ／ｌ以下）とする必要がある。
【００２３】
本発明の貯蔵工程の期間は、特に限定されない。少なくとも２週間以上、１０週間以内であれば、健全な状態で発根苗を貯蔵し、人員や設備の効率的な活用を可能とすることができる。貯蔵工程の期間が２週間未満の場合には、貯蔵工程を行う意味があまりなく、本発明の貯蔵工程を行ったとしても、人員や設備の効率的な活用には結びつかない。また、貯蔵工程の期間が１０週間を超える場合には、貯蔵後に健全な苗を得られる確率が低くなるおそれがある。また、貯蔵工程中の光強度は２０μｍｏｌ／s・ｍ２以上、８０μｍｏｌ／s・ｍ２以下、温度は２０℃以上、３０℃以下が好ましい。光強度や温度がこの範囲外である場合には、多くの植物で、貯蔵中の苗が徒長したり、枯死したりするおそれがある。培養環境中への炭酸ガスの供給は、行っても行わなくてもよい。
【００２４】
本発明の育苗工程は、上記貯蔵工程後の発根苗を、矮化剤を添加していない水又は液体培地を用いて栽培することにより行う。
【００２５】
すなわち、この育苗工程において、貯蔵工程後の発根苗は、適当な育苗容器内に用意した培養土に移植等して、上記矮化剤を添加していない液体培地又は水を与えて栽培することにより育苗する。このとき、培養土や、光強度・温度等の条件は、栽培する苗の種類に応じて適宜設定すればよい。液体培地としては、貯蔵工程と同様に、公知の植物組織培養用培地もしくはその改変培地、又は市販の植物用肥料を、１〜１０倍程度まで希釈して用いることができる。また、かかる液体培地の代わりに単なる水を用いることもできる。さらに、水又は液体培地に植物ホルモン等、矮化剤以外の成分を、本発明の目的を損ねない範囲で添加しても構わない。
【００２６】
なお、組織培養法により得られた発根苗の場合には、上記育苗工程の開始当初に、かかる発根苗が置かれていた高湿度の環境から、育苗が行われる環境（温室内、場合によっては温室外の環境）に慣らすための順化を、遮光ネットや加湿ミスト等を使用して行う必要がある。この順化のための期間は、通常、１〜２週間程度必要とされる。
［作用］
【００２７】
苗の貯蔵方法としては、苗を低温下に置いて保存することで、その生長を抑制する低温保存法が知られている。しかし、単に低温下に置いただけでは、苗の細胞中の化学反応速度は低下するものの、種々の光化学反応速度や酸化反応速度はあまり低下しない。また、低温下に置くことで、細胞やその内部のオルガネラ等が損傷を受ける場合もある。このため、この方法で長期間貯蔵した苗を育苗した場合、健全な状態の苗が得られる確率（以下、この確率のことを単に得苗率ともいう。）は、必ずしも高くなかった。
【００２８】
一方、苗の貯蔵を、通常の温度及び光条件下、即ち、発根や育苗を行う場合と同様の温度及び光条件下で行った場合には、貯蔵中に苗が徒長してしまう。徒長した苗は、育苗中に枯死しやすいことから、この場合、貯蔵後の得苗率は非常に悪くなる。しかし、苗の貯蔵を、通常の温度及び光条件下で行った場合でも、苗の徒長を抑制することができれば、低温による細胞損傷等のダメージを受けるおそれがない分、貯蔵後も健全な状態の苗が得られるはずである。
【００２９】
そこで本発明では、発根後の苗に矮化剤を与えつつ培養して貯蔵する。これにより、発根や育苗を行う場合と同様の温度及び光条件下で、苗を徒長させずに、また、低温によるダメージを与えずに貯蔵でき、従って、貯蔵後の得苗率は高くなる。さらに、矮化剤の作用濃度（生長抑制作用が発現する濃度）は、苗の地上部（茎や葉等）と地下部（根系）とで異なっているので、貯蔵中に苗に与える矮化剤の量を調整して、苗の地上部（茎や葉等）の生長を停止又は非常に緩慢にさせながらも、地下部（根系）の生長を持続させることができ、これにより、根系の発達した、むしろ、貯蔵を行わなかった苗よりも良好な苗が得られる。
【実施例】
【００３０】
以下、実施例により本発明をさらに詳細に説明する。
【００３１】
［実施例１］
Ｉ．発根工程
１０年生ユーカリプタス・グロブルス（以下、Ｅ．グロブルスと略記する。）の当年生枝を採取し、有効塩素量１％の次亜塩素酸ナトリウム溶液に２０分間浸漬して表面を殺菌した後、滅菌水で洗浄し、多芽体誘導用固体培地（ＢＡＰ０．１ｍｇ／ｌ、ショ糖２０ｇ／ｌ、ゲランガム０．２５ｗ／ｖ％を添加したＭＳ固体培地）に挿しつけた。１ヶ月後、挿しつけた当年生枝より展開してきた腋芽を同組成の培地に置床して、継代培養することにより多芽体を誘導・増殖させた。
【００３２】
一方、市販の透明ポリカーボネート製培養容器内に、発根床として発泡フェノール樹脂からなる多孔性成形品を用意し、発根用液体培地（インドール酪酸２ｍｇ／ｌを含む４倍希釈ガンボーグＢ５液体培地）を上記培養容器内に注いで、この発根床を発根用液体培地で湿潤させた。次いで、多芽体から切り取ったシュートをこの発根床に挿しつけ、炭酸ガス透過性の膜（日本ミリポア（株）製『ミリシール』）で蔽われた直径１ｃｍの開口部２ヶ所を上面に有する蓋を培養容器にかぶせた上で、炭酸ガス濃度１０００ｐｐｍの雰囲気下で培養することにより該シュートを発根させ、３週間後、地上部丈２ｃｍ〜４ｃｍの発根苗を得た。
【００３３】
なお、上記発根工程は全て、温度２５℃、光強度６０μｍｏｌ／ｓ・ｍ２の白色光源下にて行った。
【００３４】
ＩＩ．貯蔵工程
（Ａ）矮化剤使用区
上記発根工程で得られた発根苗３００個について、その発根床から滲み出ている発根用液体培地を培養容器から捨てた後、貯蔵用液体培地（矮化剤としてアンシミドール０．２μＭを含む４倍希釈ガンボーグＢ５液体培地）を培養容器内に十分に注いで、発根床を湿潤している液体培地を、発根用液体培地から貯蔵用液体培地に置換した。そして、上記発根工程で使用した蓋を再度この培養容器にかぶせて、温度２５℃、光強度６０μｍｏｌ／ｓ・ｍ２の白色光源下にて、各１００個体づつ、３週間、７週間又は１０週間培養することにより、貯蔵を行った。なお、このとき、炭酸ガス濃度を特に制御することはしなかった。
【００３５】
（Ｂ）矮化剤不使用区
貯蔵用液体培地として、矮化剤を含まない４倍希釈ガンボーグＢ５培地を用いて貯蔵工程を行った他は、上記矮化剤使用区と同様にして、発根工程で得られた発根苗の貯蔵を行った。
【００３６】
ＩＩＩ．育苗工程
上記貯蔵工程を終えた発根苗は、順次、発根床ごと培養土（パインバークコンポスト）に移植し、十分な水を株の根元に与えて発根床内の矮化剤添加培地を水で置換した後、温室内で育苗を行った。なお、育苗の開始当初２週間は順化期間として、市販の透明プラスチックカバーを苗に被せ、苗の周囲を高湿度に保ちつつ栽培を行うことで、移植後の苗を徐々に温室内の環境に慣らしていった。また、コントロールとして、発根工程終了直後の発根苗、つまり上記貯蔵工程を行っていない発根苗１００個についても同様に育苗を行った。なお、育苗期間中、水遣りは週２回程度、培養土が十分に湿潤する量を潅水することにより行い、施肥は２週間に１回程度、５００倍に希釈した株式会社ハイポネックスジャパン製「ハイポネックス原液６-１０-５」を与えることにより行った。この間、温室内の気温は約１５〜２５℃であった。
【００３７】
育苗開始から１．５ヵ月後、各試験区（矮化剤使用区において３週間貯蔵、同７週間貯蔵、同１０週間貯蔵、矮化剤非使用区において３週間貯蔵、同７週間貯蔵、同１０週間貯蔵、及び、コントロール）の苗、それぞれ１００個全てについて、健全な状態の苗の数、地上部丈の大きさ、地上部及び地下部の乾燥重量を調べ、各試験区ごとに、得苗率（健全な状態の苗が得られた確率）、地上部丈の大きさの平均値、地下部重量に対する地上部重量の割合の平均値を算出した。なお、ここで健全な状態の苗とは、苗の外観を肉眼で観察した場合に、その各部の形状、大きさ及び色彩が、コントロールの苗と変わらないもののことを言う。
【００３８】
結果を表１に示す。なお得苗率は、表中、◎が得苗率９０％以上、○が得苗率８０％以上９０％未満、△が７０％以上８０％未満、×が６０％以上７０％未満、××が６０％未満を示す（以下、表２及び表３についても同じ。）
【００３９】
【表１】
2008086236.tif 000002
【００４０】
表１より明らかなように、矮化剤アンシミドールを含む貯蔵用液体培地を用いて貯蔵工程を行った場合、各試験区では、いずれもコントロールと同等以上の得苗率を示した。中でも、貯蔵期間を３週間とした試験区の得苗率は、コントロールよりも高い値を示した。また、苗の地上部丈については、貯蔵期間の長い試験区ほど大きい傾向を示したが、コントロールとの差はわずかであり、その生長が抑制されていることがわかる。その一方、苗の地下部重量に対する地上部重量の割合は、貯蔵期間の長い試験区ほど小さい値を示しており、苗の地下部の生長は、地上部ほど抑制されておらず、その結果、根系の発達した良好な苗が得られていることがわかる。
【００４１】
これに対して、矮化剤を含まない貯蔵用液体培地を用いて貯蔵工程を行った場合、得苗率は、いずれの試験区でもコントロールより低く、また、貯蔵期間の長い試験区ほど極端に低くなった。矮化剤を含まない貯蔵用液体培地を用いて貯蔵工程を行った場合は、貯蔵期間の長い試験区ほど、苗の地上部丈、及び、苗の地下部重量に対する地上部重量の割合がコントロールに対して大きく上昇している。このことから明らかなように、この場合は苗の徒長が起こっており、これが原因となって、貯蔵期間の長い試験区における得苗率を、極端に低下させていると考えられる。
【００４２】
［実施例２］
矮化剤としてウニコナゾールを用い、実験を行った。
【００４３】
具体的には、実施例１のＩＩ（Ａ）の矮化剤使用区において用いた貯蔵用液体培地の代わりに、ウニコナゾール０．５μＭを含む４倍希釈ガンボーグＢ５培地を貯蔵用液体培地として用いた。また、その他の条件は実施例１と同様にして、発根工程、貯蔵工程及び育苗工程を行い、各試験区（矮化剤使用区において３週間貯蔵、同７週間貯蔵、同１０週間貯蔵、矮化剤非使用区において３週間貯蔵、同７週間貯蔵、同１０週間貯蔵、及び、コントロール）ごとに、得苗率、苗の地上部丈の大きさの平均値、及び、苗の地下部重量に対する地上部重量の割合の平均値を算出した。
結果を表２に示す。
【００４４】
【表２】
2008086236.tif 000003
【００４５】
表２より明らかなように、本実施例の結果も、実施例１の結果と同様の傾向を示した。
すなわち、矮化剤ウニコナゾールを含む貯蔵用液体培地を用いて貯蔵工程を行った場合も、アンシミドールを含む貯蔵用液体培地を用いて貯蔵工程を行った場合と同様に、各試験区は、いずれもコントロールと同等以上の得苗率を示し、中でも、貯蔵期間を３週間とした試験区の得苗率は、コントロールよりも高い値を示した。また、苗の地上部丈は生長が抑制されたが、この地上部の生長ほど、苗の地下部の生長は抑制されておらず、この場合も、根系の発達した良好な苗が得られていることがわかる。これに対して、矮化剤を含まない貯蔵用液体培地を用いて貯蔵工程を行った場合は、苗の徒長が起こり、得苗率は、いずれの試験区でもコントロールより低く、また、貯蔵期間の長い試験区ほど極端に低くなった。
【００４６】
［実施例３］
ユーカリプタス・ニテンス（以下、Ｅ．ニテンスと略記する。）を対象として実験を行った。
【００４７】
具体的には、実施例１で用いた１０年生Ｅ．グロブルスの代わりに、５年生Ｅ．ニテンスを材料として多芽体を誘導・増殖させ、シュートを切り取り、このシュートを発根工程に供し、発根苗を得て、以降の貯蔵工程及び育苗工程に供した。その他の条件は実施例１と同様にして、上記各工程を行い、各試験区（矮化剤使用区において３週間貯蔵、同７週間貯蔵、同１０週間貯蔵、矮化剤非使用区において３週間貯蔵、同７週間貯蔵、同１０週間貯蔵、及び、コントロール）ごとに、得苗率、苗の地上部丈の大きさの平均値、及び、苗の地下部重量に対する地上部重量の割合の平均値を算出した。
結果を表３に示す。
【００４８】
【表３】
2008086236.tif 000004
【００４９】
表３より明らかなように、本実施例の結果も、実施例１及び実施例２の結果と同様の傾向を示した。
【００５０】
すなわち、Ｅ．ニテンスの発根苗を対象として貯蔵工程を行った場合も、Ｅ．グロブルスを対象として貯蔵工程を行った場合と同様に、各試験区は、いずれもコントロールと同等以上の得苗率を示し、中でも、貯蔵期間を３週間とした試験区の得苗率は、コントロールよりも高い値を示した。また、苗の地上部丈は生長が抑制されたが、この地上部の生長ほど、苗の地下部の生長は抑制されておらず、この場合も、根系の発達した良好な苗が得られていることがわかる。これに対して、矮化剤を含まない貯蔵用液体培地を用いて貯蔵工程を行った場合は、苗の徒長が起こり、得苗率は、いずれの試験区でもコントロールより低く、また、貯蔵期間の長い試験区ほど極端に低くなった。